(57)【特許請求の範囲】
【請求項１】
基礎鉄筋間に交差させて架け渡し、両端部を該基礎鉄筋に針金で固定する鉄棒と、前記鉄棒を上下から挟むようにして位置せしめる、中心部にボルト挿通孔を穿設した一対の金属製挟持板と、前記一対の金属製挟持板における下側の金属製挟持板のボルト挿通孔に下面側から挿通し、上端部を上側の金属製挟持板のボルト挿通孔から突出させる支持ボルトと、前記支持ボルトの上側の金属製挟持板のボルト挿通孔から突出する部分に螺合する２個のナットと、下部側を、下端に行くに従って縮径するテーパー状になし且つ下端部に、前記支持ボルトにおける前記２個のナットの上部に螺合するネジ孔を刻設し、上部側の頂部に、直交して左右に張り出す足場板支承部を形成した連結支持部とからなることを特徴とする足場板の支持部材。
【請求項２】
請求項１記載の足場板の支持部材を用い、先ず前記鉄棒を基礎鉄筋に交差させて固定し、次に前記一対の金属製挟持板における下側の金属製挟持板のボルト挿通孔に下面側から前記支持ボルトを挿通し、更に該支持ボルトの上部側を上側の金属製挟持板のボルト挿通孔に挿通させ、これら上下一対の金属製挟持板で前記鉄棒を上下から挟むようになし、次に前記支持ボルトの上側の金属製挟持板のボルト挿通孔から突出する部分に前記２個のナットを螺合し、次に該２個のナットにおける下側のナットを締め付け方向に捻じ回し、前記上下一対の金属製挟持板の対向間隙を狭めて前記鉄棒を挟み付け、次に前記支持ボルトの上端部に、前記連結支持部の下端部に刻設したネジ孔を螺合して連結すると共に、足場板支承部が、それが支承する足場板の軸線と直交する位置となるよう、前記上側のナットを捻じ回して調節し、その後上記と同手順にて所定の距離をおいて基礎鉄筋に足場板の支持部材を組み付け、最後に両足場板の支持部材における足場板支承部に足場板を跨がるように載せ、また打設した基礎コンクリートが作業員が歩ける程度に硬化したとき、足場板を取り外すと共に前記連結支持部を支持ボルトから取り外すようになしたことを特徴とする足場板の支持部材を用いた基礎コンクリート打設時における足場板の支持方法。
【発明の詳細な説明】
【技術分野】
【０００１】
本発明は、足場板の支持部材及びこれを用いた基礎コンクリート打設時における足場板の支持方法に関するものである。
【背景技術】
【０００２】
一般的に、建物等の建造物を構築する際には、先ず基礎コンクリートを打設し、その後該基礎コンクリートの硬化を待って立ち上がり部のコンクリートの打設が行われる。
【０００３】
そして、この基礎コンクリートの硬化には通常１日程度を要し、また、ある程度硬化しなければ作業員がその上を歩くこともできないから、中１日空けてからでなければ立ち上がり部のコンクリートの打設を行うことができない。
【０００４】
そして、このように基礎コンクリートが硬化した後で立ち上がり部のコンクリートの打設が行われるため、基礎コンクリートと立ち上がり部のコンクリートとは硬化の度合いが異なる。このため、両者が組織的に完全に一体化することはない。そしてまたこのため両者の境界部分に隙間が出来ることになる。尚、それは、基礎コンクリートの表面（上面）は完全な平滑面ではなく、僅かな凹凸面となっていることによるものである。そして、両者の間に隙間が出来ると、この隙間から侵入した水が中の鉄筋を錆びさせてしまい、鉄筋の寿命を短くするという問題がある。
【０００５】
また、基礎コンクリートと立ち上がり部のコンクリートとの組織的な完全一体化ができないから、両者の境界部分において強度的に脆いという問題点もある。
【０００６】
また、基礎コンクリートの打設完了から立ち上がり部のコンクリートの打設までに作業を中断しなければならないから、多くの無駄な時間を要し、またこの間において重機（生コンの圧送ポンプ等）のリース料や人件費等も必要であり、その分コストが高くつくことになる。
【０００７】
また、基礎コンクリートを打設した後、未硬化のうちにその表面（上面）をならしたりするために作業員がその上を歩きたい場合があるが、従来はこれを行うこともできなかった。
【発明の概要】
【発明が解決しようとする課題】
【０００８】
本発明は上記の点に鑑みなされたものであって、基礎コンクリートを打設する前に基礎鉄筋に組み付けておくことにより、基礎コンクリートを打設した後、それが未硬化の状態のうちに、足場板を用いてその上方を作業員が歩いて作業できるようになし、もって、基礎コンクリートが未硬化のうちに立ち上がり部のコンクリートの打設を行うことにより、両者の組織的に完全な一体化を図り、従来における両者の境界部分の隙間の発生をなくし、且つ境界部分の強度を増大させることができ、更にはコンクリートの打設作業に要する時間を大幅に短縮することができると共にコストを大幅に軽減することができ、加えて基礎コンクリートが未硬化のうちにその表面（上面）をならすこともできるようになした足場板の支持部材及びこれを用いた基礎コンクリート打設時における足場板の支持方法を提供しようとするものである。
【課題を解決するための手段】
【０００９】
而して、本発明は、基礎鉄筋間に交差させて架け渡し、両端部を該基礎鉄筋に針金で固定する鉄棒と、前記鉄棒を上下から挟むようにして位置せしめる、中心部にボルト挿通孔を穿設した一対の金属製挟持板と、前記一対の金属製挟持板における下側の金属製挟持板のボルト挿通孔に下面側から挿通し、上端部を上側の金属製挟持板のボルト挿通孔から突出させる支持ボルトと、前記支持ボルトの上側の金属製挟持板のボルト挿通孔から突出する部分に螺合する２個のナットと、下部側を、下端に行くに従って縮径するテーパー状になし且つ下端部に、前記支持ボルトにおける前記２個のナットの上部に螺合するネジ孔を刻設し、上部側の頂部に、直交して左右に張り出す足場板支承部を形成した連結支持部とからなることを特徴とする足場板の支持部材を要旨とするものである。
【００１０】
また、本発明は上記足場板の支持部材を用い、先ず前記鉄棒を基礎鉄筋に交差させて固定し、次に前記一対の金属製挟持板における下側の金属製挟持板のボルト挿通孔に下面側から前記支持ボルトを挿通し、更に該支持ボルトの上部側を上側の金属製挟持板のボルト挿通孔に挿通させ、これら上下一対の金属製挟持板で前記鉄棒を上下から挟むようになし、次に前記支持ボルトの上側の金属製挟持板のボルト挿通孔から突出する部分に前記２個のナットを螺合し、次に該２個のナットにおける下側のナットを締め付け方向に捻じ回し、前記上下一対の金属製挟持板の対向間隙を狭めて前記鉄棒を挟み付け、次に前記支持ボルトの上端部に、前記連結支持部の下端部に刻設したネジ孔を螺合して連結すると共に、足場板支承部が、それが支承する足場板の軸線と直交する位置となるよう、前記上側のナットを捻じ回して調節し、その後上記と同手順にて所定の距離をおいて基礎鉄筋に足場板の支持部材を組み付け、最後に両足場板の支持部材における足場板支承部に足場板を跨がるように載せ、また打設した基礎コンクリートが作業員が歩ける程度に硬化したとき、足場板を取り外すと共に前記連結支持部を支持ボルトから取り外すようになしたことを特徴とする足場板の支持部材を用いた基礎コンクリート打設時における足場板の支持方法をもその要旨とするものである。
【発明の効果】
【００１１】
本発明に係る足場板の支持部材及びこれを用いた基礎コンクリート打設時における足場板の保持方法は、上記の如き構成であるから、基礎コンクリートを打設する前に基礎鉄筋に組み付けておくことにより、基礎コンクリートを打設した後、それが未硬化の状態のうちに、足場板を用いてその上方を作業員が歩いて作業できるようになるものである。したがって、基礎コンクリートが未硬化のうちに立ち上がり部のコンクリートの打設を行うことが可能となり、基礎コンクリートと立ち上がり部のコンクリートとの組織的に完全な一体化を図ることができるものである。そして、これにより従来における両者の境界部分の隙間の発生をなくし、且つ境界部分の強度を増大させることができるものである。また、コンクリートの打設作業に要する時間を大幅に短縮することができると共にコストを大幅に軽減することができ、加えて基礎コンクリートが未硬化のうちにその表面（上面）をならすこともできるようになものである。
【図面の簡単な説明】
【００１２】
【図１】本発明の実施形態に係る足場板の支持部材を構成する各部材の斜視図である。
【図２】同連結支持部の下端部分の拡大斜視図である。
【図３】同基礎鉄筋に組み付けた状態の斜視図である。
【図４】同組み付け方の手順を示すものであり、基礎鉄筋に鉄棒を固定し、上下一対の金属製挟持板に支持ボルトを挿通した状態を示すものである。
【図５】同組み付け方の手順を示すものであり、支持ボルトの上端部に２個のナットを螺合した状態を示すものである。
【図６】同組み付け方の手順を示すものであり、支持ボルトの上端部に連結支持部の下端部を螺合する状態を示すものである。
【図７】同組み付け方の手順を示すものであり、上側のナットを捻じ回す状態を示すものである。
【図８】同組み付け方の手順を示すものであり、支持ボルトの上端部に連結支持部を連結した状態の断面図である。
【図９】同基礎鉄筋に組み付けて足場板を載せた状態の斜視図である。
【図１０】同基礎コンクリートの打設後所要の硬化状態となったときに連結支持部を支持ボルトから取り外した状態の断面図である。
【発明を実施するための形態】
【００１３】
以下、本発明を実施するための形態について、図面を参照して説明する。
【００１４】
先ず、足場板の支持部材について説明する。
図中、１は基礎鉄筋に所定の距離をおいて組み付ける足場板の支持部材である。また、該足場板の支持部材１は、以下の鉄棒、一対の金属製挟持板、支持ボルト等の部材からなるものである。
【００１５】
２、２は鉄棒であり、廃材としての鉄筋の切れ端を用いればよく、これによりコストを削減することが可能となる。また、該鉄棒２、２は基礎鉄筋Ｔ、Ｔ間に交差させて架け渡し、両端部を該基礎鉄筋Ｔ、Ｔに針金３、３等で固定するものである。
【００１６】
４、５は前記鉄棒２、２を上下から挟むようにして位置せしめる一対の金属製挟持板であり、夫々中心部にボルト挿通孔４ａ、５ａを穿設している。
【００１７】
６は支持ボルトであり、前記一対の金属製挟持板４、５における下側の金属製挟持板５のボルト挿通孔５ａに下面側から挿通し、上端部を上側の金属製挟持板４のボルト挿通孔４ａから突出させるものである。
【００１８】
７、８は前記支持ボルト６の上側の金属製挟持板４のボルト挿通孔４ａから突出する部分に螺合する２個のナットである。また、該２個のナット７、８のうちの下側のナット８は、締め付け方向に捻じ回すことにより前記一対の金属製挟持板４、５の対向間隙を狭め、前記鉄棒２、２を挟み付けるためのものであり、また上側のナット７は、前記支持ボルト６の上端部に後記連結支持部を連結する際において、捻じ回して前記ナット８と逆方向に移動させることにより、連結支持部における足場板支承部が、それが支承する足場板の軸線と直交する位置にて固定するためのものである。
【００１９】
９は前記支持ボルト６の上端部に連結し、足場板を載せる連結支持部である。また、該連結支持部９は下部側９Ａを、下端に行くに従って縮径するテーパー状になし且つ下端部に、前記支持ボルト６における前記２個のナット７、８の上部に螺合するネジ孔９ａを刻設し、上部側の頂部に、直交して左右に張り出す足場板支承部９Ｂを形成してなるものである。
【００２０】
１０は前記連結支持部９における足場板支承部９Ｂに乗せる足場板である。尚、その他、図中１１は立ち上がり部のコンクリート打設用の型枠、１２は立ち上がり鉄筋、１３は打設した基礎コンクリートを示す。
【００２１】
次に、上記足場板の支持部材１を用いた基礎コンクリート打設時における足場板の支持方法について説明する。
【００２２】
先ず、図４に示す如く、鉄棒２、２を針金３を用いて基礎鉄筋Ｔ、Ｔに交差させて固定する。次に、一対の金属製挟持板４、５における下側の金属製挟持板５のボルト挿通孔５ａに下面側から支持ボルト６を挿通し、更に支持ボルト６の上部側を上側の金属製挟持板４のボルト挿通孔４ａに挿通させ、これら上下一対の金属製挟持板４、５で鉄棒２、２を上下から挟むようにする。
【００２３】
先ず、図５に示す如く、支持ボルト６の上側の金属製挟持板４のボルト挿通孔４ａから突出する部分に２個のナット７、８を螺合する。次に、下側のナット８を締め付け方向に捻じ回し、上下一対の金属製挟持板４、５の対向間隙を狭めて鉄棒２、２を挟み付ける。これにより支持ボルト６は基礎鉄筋Ｔ、Ｔに垂直に固定される。
【００２４】
先ず、図６に示す如く、支持ボルト６の上端部に、連結支持部９の下端部に刻設したネジ孔９ａを螺合して連結すると共に、図７に示す如く、足場板支承部９Ｂが、それが支承する足場板１０の軸線と直交する位置となるように、上側のナット７を捻じ回して調節する。尚、このナット７の捻じ回しにはスパナ等の工具を用いて行い、該ナット７をナット８の締め付け方向と逆方向に捻じ回し、連結支持部９を所定の角度の位置に確実に固定する。
【００２５】
以上により１組目の足場板の支持部材１の組み付けが完了する。次に、同手順にて所定の距離をおいて基礎鉄筋Ｔ、Ｔにもう一組の足場板の支持部材１を組み付ける。この状態は図３に示す通りである。そして、その後両足場板の支持部材１，１における足場板支承部９Ｂ、９Ｂに足場板１０を跨がるように載せるものである。図９はこの状態を示すものである。そして、その後この状態において基礎コンクリート１３を打設するものである。
【００２６】
斯かる方法によれば、基礎コンクリート１３を打設した後、それが未硬化の状態のうちに、足場板１０を用いてその上方を作業員が歩いて作業できるようになるものである。したがって、基礎コンクリート１３が未硬化のうちに立ち上がり部のコンクリート（図示せず。）の打設を行うことが可能となり、基礎コンクリート１３と立ち上がり部のコンクリートとの組織的に完全な一体化を図ることができるものである。そして、これにより従来における両者の境界部分の隙間の発生をなくし、且つ境界部分の強度を増大させることができるものである。また、コンクリートの打設作業に要する時間を大幅に短縮することができると共にコストを大幅に軽減することができ、加えて基礎コンクリート１３が未硬化のうちにその表面（上面）をならすこともできるようになるものである。
【００２７】
また、打設した基礎コンクリート１３が作業員が歩ける程度に硬化したとき、足場板１０を取り外すと共に連結支持部９を支持ボルト６から取り外すものである。またこのとき、連結支持部９の下部側はテーパー状となっているから、捻じ回した後上方に容易に抜くことができるものである。そして、取り外した連結支持部９は、他の場所において再使用するものである。
【符号の説明】
【００２８】
１  足場板の支持部材
２、２  鉄棒  
４、５  一対の金属製挟持板
４ａ  ボルト挿通孔,
５ａ  ボルト挿通孔
６  支持ボルト
７、８  ナット
９  連結支持部
９Ａ  連結支持部の下部側
９ａ  ネジ孔
１０  足場板
【図１】
0006511270.tif 000002
【図２】
0006511270.tif 000003
【図３】
0006511270.tif 000004
【図４】
0006511270.tif 000005
【図５】
0006511270.tif 000006
【図６】
0006511270.tif 000007
【図７】
0006511270.tif 000008
【図８】
0006511270.tif 000009
【図９】
0006511270.tif 000010
【図１０】
0006511270.tif 000011